(57)【特許請求の範囲】
【請求項１】
位置情報を予め記憶する位置記憶手段と、
時刻情報の送信を依頼する依頼者の位置に関する情報である位置情報を受け付ける依頼者情報受付手段と、
現在の時刻に関する情報である現時刻情報を受け付ける時刻受付手段と、
該依頼者情報受付手段により受け付けられた該位置情報が、該位置記憶手段に記憶されているものに該当するか否か判断する対象判断手段と、
該対象判断手段にて、該受け付けられた位置情報が該位置記憶手段に記憶されているものに該当すると判断された場合、該時刻受付手段が予め定められたタイミングで受け付ける該現時刻情報を所定の送信先へ送信する送信手段と、
を備えてなる時刻情報送信装置。
【請求項２】
前記位置記憶手段が、自らが記憶している位置情報に関係する時間に関する情報である時間情報を、該自らが記憶している位置情報に関係付けてさらに記憶し、
前記対象判断手段が、該当すると判断した場合には該該当すると判断された記憶されている位置情報に関係付けられた該時間情報を前記位置記憶手段からさらに読み出し、
前記送信手段が、前記時刻受付手段が受け付ける前記現時刻情報と該読み出された時間情報とを所定の送信先へ送信するものである、
請求項１に記載の時刻情報送信装置。
【請求項３】
前記時間情報が、前記受け付けられる位置情報に該当する前記位置記憶手段に記憶された位置情報が示す位置における時刻と、前記時刻受付手段が受け付ける現時刻情報が示す時刻と、の間に存する時差に関する時差情報である、請求項２に記載の時刻情報送信装置。
【請求項４】
前記対象判断手段が、さらに、前記時差情報と、前記時刻受付手段が受け付ける前記現時刻情報と、を用いて前記依頼者の位置における時刻を算出し、
前記送信手段が、前記現時刻情報と前記読み出された時間情報とを所定の送信先へ送信する代わりに、該算出した時刻に関する情報である算出時刻情報を所定の送信先へ送信するものである、請求項３に記載の時刻情報送信装置。
【請求項５】
請求項１乃至４のいずれかに記載の前記時刻情報送信装置をコンピュータに実現させるためのプログラム。
【請求項６】
請求項１乃至４のいずれかに記載の前記時刻情報送信装置をコンピュータに実現させるためのプログラムを記録したコンピュータ読みとり可能な記憶媒体。
【発明の詳細な説明】
【０００１】
【発明の属する技術分野】
本発明は、時刻情報送信装置に関し、より詳細には、所定の位置範囲に存する依頼者からの依頼に対し、現在の時刻に関する情報を送信する時刻情報送信装置に関する。
【０００２】
【従来の技術】
インターネット、イントラネット、電話、ファクシミリ及び業務用無線等のような通信網における時刻情報は、それぞれの情報端末（例えば、クライアントコンピュータ等）が有する時刻情報を用いていた。
例えば、電子メールを送信する場合、送信する側のコンピュータが有する時刻情報が電子メール中に書き込まれた状態で送信され、電子メールを受信した側は該書き込まれた時刻情報（送信側のコンピュータによって決められたもの）により電子メールがいつ送信されたかを知ることができる。
【０００３】
【発明が解決しようとする課題】
しかしながら、このような時刻情報は、各情報端末によって付与されるためそれぞれの情報端末が有する時刻情報が十分正確であれば問題ないが、現実には、各情報端末それぞれが有する時刻情報は、現実の時刻に対してある程度の狂いがあるのが現状である。
【０００４】
このため時刻が重要な判断基準となるような場合は、通信網を用いた通信により取り扱うのが難しい問題があった。例えば、先着何名までに懸賞を与えるような場合、電子メールによって応募させると、Ａという者は１０時１５分に応募のメールを送信し、応募メールを受信するサーバに該メールが到着したのが１０時２７分であったのに対し、Ｂという者は１０時１７分に応募のメールを送信し、該サーバに該メールが到着したのが１０時２４分であったため、該サーバ側ではＢのメールが先に到着したためＢに懸賞を与えＡには与えないということが生じうる。このことはＢよりもＡが先に応募メールを送信したにも関わらず、Ｂに懸賞を与えＡには与えられないこととなり、極めて不公平である。
このため通信網を用いた通信において、正確な時刻を証明する手段が求められてきた。
【０００５】
一方、時刻は、同じ瞬間であっても場所によって変わりうるものであると共に（例えば、イギリスと日本との間では時差が存する。）、同一の手段によって時刻を証明する必要がある領域は通常限られるものであるから（例えば、市内、県内、国内、企業や学校の敷地内）、所定領域内に存する者から時刻を証明する要求があったときのみ時刻を証明する手段が求められてきた。
【０００６】
そこで、本発明では、通信網を用いた通信において、所定領域内に存する依頼者のみに対して現在時刻を表す現時刻情報を送信し、正確な現在時刻を証明する装置を提供することを目的とする。
【０００７】
【課題を解決するための手段】
本発明の時刻情報送信装置（以下、「本装置」という。）は、位置情報を予め記憶する位置記憶手段と、時刻情報の送信を依頼する依頼者の位置に関する情報である位置情報を受け付ける依頼者情報受付手段と、現在の時刻に関する情報である現時刻情報を受け付ける時刻受付手段と、該依頼者情報受付手段により受け付けられた該位置情報が、該位置記憶手段に記憶されているものに該当するか否か判断する対象判断手段と、該対象判断手段にて、該受け付けられた位置情報が該位置記憶手段に記憶されているものに該当すると判断された場合、該時刻受付手段が予め定められたタイミングで受け付ける該現時刻情報を所定の送信先へ送信する送信手段と、を備えてなる時刻情報送信装置である。
【０００８】
まず、位置記憶手段は位置情報を予め記憶する。ここに位置記憶手段が記憶する位置情報は、本装置が現時刻情報を提供することが予め定められた依頼者が存在すると想定される位置情報である（即ち、時刻情報の送信依頼をした依頼者の位置情報が、位置記憶手段が記憶する位置情報に該当するか否かで、該送信依頼に応じるか否かを決する。）。
そして、依頼者情報受付手段が、時刻情報の送信を依頼する依頼者の位置に関する情報である位置情報を受け付ける。ここに依頼者の位置に関する情報である位置情報とは、本装置が時刻情報を送信対象とする依頼者の位置（即ち、位置記憶手段が記憶する位置情報）に位置情報を送信した依頼者が存するか否かが判断できればいかなるものであってもよく何ら制限されるものではないが、例えば、依頼者が存する経度と緯度とを組み合わせた情報（例えば、ＧＰＳ（全地球測位システム：グローバルポジショニングシステム）から得られる経度及び緯度のデータ）や、依頼者が携帯電話やＰＨＳ等を有している際の携帯電話やＰＨＳ等がアクセスする中継局アンテナの位置等を例示することができる。
【０００９】
さらに、時刻受付手段は、現在の時刻に関する情報である現時刻情報を受け付ける。ここに時刻受付手段は、現時刻情報を発生することができるものであればいかなるものから現時刻情報を受け付けるようにしてもよく何ら限定されるものではないが、例えば、ＧＰＳから得られる時刻データ、電波時計（正確な時刻情報を含む標準電波を受信することにより、自らの時刻を修正し、正確な時刻に極めて近い時刻を表示する時計）から得られる時刻データ、そして通常の時計（機械式、水晶発振子内蔵式）から得られる時刻データ等を現時刻情報として受け付けるようにしてもよい。
【００１０】
そして、対象判断手段は、依頼者情報受付手段により受け付けられた（依頼者の）位置情報が、位置記憶手段に記憶されているものに該当するか否か判断する。
最後に、対象判断手段にて該当すると判断された場合（依頼者情報受付手段により受け付けられた（依頼者の）位置情報が、位置記憶手段に記憶されているものに該当すると判断された場合）、送信手段が、時刻受付手段が予め定められたタイミングで受け付ける現時刻情報を所定の送信先へ送信する。なお、ここにいう「所定の送信先」とは、予め定められたいかなるところであってもよく何ら限定されるものではないが、一例を挙げるとすれば、現時刻情報の送信の依頼をした依頼者、依頼者によって特定された送信先、記憶装置等である。また、ここにいう「予め定められたタイミング」とは、依頼者情報受付手段が位置情報を受け付けてから、送信手段が現時刻情報を所定の送信先へ送信するまでの間の中で予め定められた時をいう。
【００１１】
このようにして本装置は、通信網に接続されることで、通信網を用いた通信において、所定領域（ここでは位置記憶手段が、本装置が現時刻情報を提供することが予め定められた依頼者が存在すると想定される位置情報として記憶している領域）内に存する依頼者のみに対して現在時刻を表す現時刻情報を送信し、現在時刻を証明する。
なお、本装置が接続される通信網としては、本装置が送受信する情報を伝達できるものであればいかなるものであってもよく何ら限定されるものではないが、例えば、インターネット、イントラネット、電話、ファクシミリ等のような有線方式の通信網や、業務用無線等のような無線方式の通信網等を例示することができる。
【００１２】
前記位置記憶手段が、自らが記憶している位置情報に関係する時間に関する情報である時間情報を、該自らが記憶している位置情報に関係付けてさらに記憶し、前記対象判断手段が、該当すると判断した場合には該該当すると判断された記憶されている位置情報に関係付けられた該時間情報を前記位置記憶手段からさらに読み出し、前記送信手段が、前記時刻受付手段が受け付ける前記現時刻情報と該読み出された時間情報とを所定の送信先へ送信するもの（以下、「時間情報送信態様」という。）であってもよい。
ここに「時間情報」とは、位置記憶手段が記憶している位置情報に何らか関係する情報であればいかなるものであってもよく、何ら限定されるものではないが、例えば、前記受け付けられる位置情報に該当する前記位置記憶手段に記憶された位置情報が示す位置における時刻と、前記時刻受付手段が受け付ける現時刻情報が示す時刻と、の間に存する時差に関する時差情報や、依頼者と本装置との間の移動時間に関する移動時間情報等であってもよい。なお、ここにいう「時差」とは、各国や地域内において一律に用いる標準時の差（即ち、前記受け付けられる位置情報に該当する前記位置記憶手段に記憶された位置情報が示す位置の標準時と、前記時刻受付手段が受け付ける現時刻情報が示す時刻と、の間の差）のことを指すのみならず、物理的な時差（前記受け付けられる位置情報に該当する前記位置記憶手段に記憶された位置情報が示す位置の経度に応じた時刻と、前記時刻受付手段が受け付ける現時刻情報が示す時刻と、の間の差。例えば、北海道札幌市と岡山県岡山市との間にはそれぞれの経度の差により物理的な時差が存する。）をも含む概念である。
このようにすることで依頼者が存する位置に関する時間情報と現時刻情報とが所定の送信先へ送信されるので、該送信先では、依頼者が存する位置に関する時間情報と現時刻情報とを組み合わせること等により、依頼者が存するそれぞれの位置に応じた時刻情報や時間情報を得ることができる。
とりわけ前述のように、時間情報送信態様において、時間情報を、前記受け付けられる位置情報に該当する前記位置記憶手段に記憶された位置情報が示す位置における時刻と、前記時刻受付手段が受け付ける現時刻情報が示す時刻と、の間に存する時差に関する時差情報とすれば、依頼者が存する位置（前記受け付けられる位置情報に該当する前記位置記憶手段に記憶された位置情報が示す位置）の正確な時刻情報を送信先は得ることができ、依頼者が存する位置における時刻を証明することができる。
【００１３】
時間情報送信態様において、時間情報を、前記受け付けられる位置情報に該当する前記位置記憶手段に記憶された位置情報が示す位置における時刻と、前記時刻受付手段が受け付ける現時刻情報が示す時刻と、の間に存する時差に関する時差情報とした場合、前記対象判断手段が、さらに、前記時差情報と、前記時刻受付手段が受け付ける前記現時刻情報と、を用いて前記依頼者の位置における時刻を算出し、前記送信手段が、前記現時刻情報と前記読み出された時間情報とを所定の送信先へ送信する代わりに、該算出した時刻に関する情報である算出時刻情報を所定の送信先へ送信するものであってもよい。
こうすることで本装置において依頼者が存する位置の正確な時刻情報を算出（現時刻情報が示す時刻から時差情報が示す時間を加減することで算出すればよい。）し、送信手段が該算出した時刻情報（算出時刻情報）を所定の送信先へ送信するので、該所定の送信先では依頼者が存する位置の正確な時刻情報を直接得ることができるので、依頼者が存する位置における時刻を該所定の送信先において一層容易に証明することができる。
【００１４】
本装置は、所定のプログラムをコンピュータに実行させることで実現させることができ、さらに、かかるプログラムはコンピュータ読みとり可能な記憶媒体に記録することができる。
【００１５】
【発明の実施の形態】
以下、本発明の実施の形態を図面を参照して説明する。しかしながら、これらによって本発明は何ら制限されるものではない。
【００１６】
図１は、一実施形態の本発明の時刻情報送信装置（本装置）１１のハードウエア構成を示す概略ブロック図である。図１を参照して、一実施形態の本装置１１のハードウエア構成について説明する。本装置１１は、インターネット１７（通信網）に接続され、インターネット１７に接続された図示しない情報端末から送信された電子メールの送信時刻を証明するために用いるサーバ装置である。なお、ここでは本装置１１はインターネット１７に接続されているが、本装置１１が接続される通信網としては、インターネット１７のみに限定されるものでないことは前述の通りであり、該通信網は、本装置１１が送受信する情報を伝達できるものであればいかなるものであってもよく、インターネット１７以外にも、例えば、イントラネット、電話、ファクシミリ等のような有線方式の通信網や、業務用無線等のような無線方式の通信網等を用いてもよい。
本実施形態では、本装置１１は、プログラムを内蔵させたコンピュータによって構成されており、本装置１１にはＧＰＳ１５及びハードディスク１９とが接続されている。
本装置１１は、演算処理を行うＣＰＵ１１ａ、ＣＰＵ１１ａの作業領域等となるＲＡＭ１１ｂ、制御プログラム等を記録するＲＯＭ１１ｃ、インターネット１７、ＧＰＳ１５及びハードディスク１９と情報のやり取りを行うためのインターフェイス１１ｄと、を有する。なお、ここでは制御プログラム等はＲＯＭ１１ｃに記憶されているが、ハードディスク１９に記憶するようにしてよいことは言うまでもない。また、ここではインターネット１７を経由して、本装置１１は、他の情報端末から自由にアクセスされることができるようになっている。
【００１７】
図２に、図１のハードウエアと主としてＲＯＭ１１ｃに記録されるプログラムにより実現される本装置１１の大まかな基本構成を示す概略機能ブロック図を示す。図２を参照して、本装置１１の基本構成について説明する。
本装置１１は、機能的には、送受信部２１と、判定部３１と、記憶部４１と、時刻受付部５１と、を有している。
そして、情報端末１０１が、インターネット１７を介して本装置１１に接続されるようになっている。情報端末１０１は、ＧＰＳ１０３から受け付けた情報端末１０１が存する場所の経度と緯度との情報（この経度と緯度との情報が、本装置１１に時刻情報の送信を依頼する依頼者の位置に関する情報である位置情報に該当する。）と、電子メールの内容（例えば、懸賞応募のための内容）と、電子メールを送信すべき送信先２０１（例えば、懸賞の応募先）のメールアドレスと、を関係付けて、本装置１１（送受信部２１）へ送信することができるようになっている。
なお、ここでは情報端末１０１は１のもののみを示しているが、実際には、複数の情報端末１０１が存している。
【００１８】
また、時刻受付部５１は、ＧＰＳ１５から提供される現在の時刻を示す現時刻データ（現在の時刻に関する情報である現時刻情報に該当する。）を刻々と受け付け、該受け付けた現時刻データをそのまま判定部３１に送信し続けている。即ち、ここでは時刻受付部５１が、現在の時刻に関する情報である現時刻情報を受け付ける時刻受付手段を構成している。
【００１９】
さらに、記憶部４１は、ハードディスク１９によって構成されており、表１に示すような情報を記憶している。表１に示すように、記憶部４１の記憶内容としては、本装置１１が現時刻情報を提供することが予め定められた依頼者が存在すると想定される位置情報と、それぞれの位置情報に関係する時間に関する情報である時間情報たる時差情報（前記受け付けられる位置情報に該当する記憶部４１（位置記憶手段）に記憶された位置情報が示す位置における時刻と、時刻受付部５１（時刻受付手段）が受け付ける現時刻情報が示す時刻と、の間に存する時差に関する時差情報）と、が互いに関係付けられたものである。なお、本装置１１が現時刻情報を提供することが予め定められた依頼者が存在すると想定される位置情報は、情報端末１０１が存する場所の経度と緯度との情報がそれぞれの位置情報に該当するか否か（即ち、経度と緯度との情報により特定される情報端末１０１が存する位置が、記憶部４１に記憶された位置情報に含まれ又は一致するか否か）が判断できるようなものとされている（例えば、本装置１１が現時刻情報を提供することが予め定められた依頼者が存在すると想定される位置の範囲、即ち、領域に関する地図情報等（座標（経度と緯度）の連続によるポリゴン情報等も含む。）。具体的には、表１中では、領域Ａ情報の部分は、領域Ａを示す地図情報が記憶されている。領域Ｂ、Ｃ、Ｄ、・・情報も同様である。）。即ち、ここでは記憶部４１が、本装置１１が対象とする依頼者の位置情報（現時刻情報を提供することが予め定められた依頼者が存在すると想定される位置情報）を予め記憶する位置記憶手段を構成している。
【００２０】
0003616786.tif 000002
【００２１】
前述のように、情報端末１０１を操作する操作者は、情報端末１０１を操作して、ＧＰＳ１０３から受け付けた情報端末１０１が存する場所の経度と緯度との情報と、電子メールの内容と、電子メールを送信すべき送信先２０１のメールアドレスと、を関係付けて、本装置１１の送受信部２１へ送信する。
送受信部２１は、この経度と緯度との情報と、電子メールの内容と、電子メールを送信すべき送信先２０１のメールアドレスと、が関係付けられた信号を受信したか否か判断し、該信号を受信したと判断した場合、該信号を判定部３１へ送信する。
【００２２】
送受信部２１から前記信号を受信した判定部３１は、前記信号に含まれる経度と緯度との情報に該当する位置情報（領域Ａ、Ｂ、Ｃ、Ｄ、・・情報）が記憶部４１に記憶されているか否かを記憶部４１にアクセスして判断し、記憶されていると判断した場合には、該該当すると判断された記憶されている位置情報に関係付けられた時間情報たる時差情報を読み出す。例えば、前記信号に含まれる経度と緯度との情報が、領域Ｂ情報に該当すると判断した場合、領域Ｂ情報に関係付けられた時差情報たる「−１」を読み出す。
そして、判定部３１は、前記信号に含まれる経度と緯度との情報に該当する位置情報が記憶部４１に記憶されていると判断しない場合には、自らが予め記憶している「対象外」を示す信号を該電子メールの内容に付記したメール情報を、電子メールを送信すべき送信先２０１のメールアドレスに関係付けて送受信部２１に送信し、該メール情報を該メールアドレス宛に送受信部２１に送信させる。
一方、判定部３１は、前記信号に含まれる経度と緯度との情報に該当する位置情報が記憶部４１に記憶されていると判断した場合には、該読み出した時差情報と、時刻受付部５１から受信した現時刻データ（常時、時刻受付部５１から判定部３１が受信しているので、時差情報を読み出した直後に受信した現時刻データ）と、を、該電子メールの内容に付記したメール情報を、電子メールを送信すべき送信先２０１のメールアドレスに関係付けて送受信部２１に送信し、該メール情報を該メールアドレス宛に送受信部２１に送信させる。
【００２３】
このようにして電子メールを送信すべき送信先２０１は、（情報端末１０１の位置が、本装置１１の対象とする依頼者の位置情報に該当すれば、）情報端末１０１によって送信された電子メールの内容に、前記時差情報（前記受け付けられる位置情報（情報端末１０１の位置）に該当する記憶部４１（位置記憶手段）に記憶された位置情報が示す位置における時刻と、時刻受付部５１（時刻受付手段）が受け付ける現時刻情報が示す時刻と、の間に存する時差に関する時差情報）と、前記現時刻データ（時刻受付手段たる時刻受付部５１が受け付けた現時刻情報のデータ）と、が付記されたメール情報を電子メールとして受信することができ、該メール情報を受信した送信先２０１は、該メール情報の送信時刻を正確に把握することができる（この送信時刻は現時刻データによる把握のみならず、時差情報を用いることで情報端末１０１の位置における時刻によっても把握することができる。）。このことは電子メールについて、送信の時期が重要となる場合に、誤りなくかつ容易に送信時期を確定することができるので極めて便利である。
そして、前述の例ではそうしていないが、判定部３１が、前記読み出した時差情報と、時刻受付部５１から受信した現時刻データと、を用いて情報端末１０１の位置（依頼者の位置）における時刻を算出し、電子メールの内容に、現時刻データと時差情報とを付記して送信する代わりに、該算出した時刻に関する情報である算出時刻情報を電子メールの内容に付記して送信するようにしてもよい。
【００２４】
また、前述の例では、情報端末１０１から送信依頼を受け、情報端末１０１とは異なる送信先２０１に電子メールの内容に現時刻データと時差情報とを付記した情報を送信するようにしているが、送信を依頼した情報端末１０１を送信先として送信するようにしてもよい（この場合では、情報端末１０１は、自らの位置における時刻を知ることができる。なお、このとき情報端末１０１から本装置１１へ送信する情報としては、前述の電子メールの内容は必ずしも必要なく（存しても良い。）、情報端末１０１が存する場所の経度と緯度との情報と、情報端末１０１を示すメールアドレスと、を関係付けて送信すれば足りる。）。無論、この場合も現時刻データと時差情報とを電子メールの内容に付記して送信する代わりに、前記算出した時刻に関する情報である算出時刻情報を付記して送信するようにしてもよい。
【００２５】
次いで、本装置１１の動作について説明する。
図３は、本装置１１の動作を示すフローチャートである。図３を参照して、本装置１１の動作について説明する。
まず、送受信部２１は、経度と緯度との情報と、電子メールの内容と、電子メールを送信すべき送信先２０１のメールアドレスと、が関係付けられた信号を情報端末１０１から受信したか否か判断し（ｓ３０１）、該信号を受信したと判断した場合（ＹＥＳ）、送受信部２１は該信号を判定部３１へ送信する（ｓ３０２）。
なお、ｓ３０１にて送受信部２１が、該信号を情報端末１０１から受信したと判断しない場合（ＮＯ）、再び、ｓ３０１へ戻る。
【００２６】
送受信部２１からｓ３０２において送信された前記信号を受信した判定部３１は、前記信号に含まれる経度と緯度との情報に該当する位置情報が記憶部４１に記憶されているか否かを記憶部４１にアクセスして判断し（ｓ３０３）、記憶されていると判断した場合（ＹＥＳ）には、該該当すると判断された記憶されている位置情報に関係付けられた時間情報たる時差情報を読み出す（ｓ３０４）。ｓ３０３にて判定部３１が、前記信号に含まれる経度と緯度との情報に該当する位置情報が記憶部４１に記憶されていると判断しない場合（ＮＯ）には、自らが予め記憶している「対象外」を示す信号を該電子メールの内容に付記したメール情報を生成し（ｓ３０５）、電子メールを送信すべき送信先２０１のメールアドレスに関係付けて該メール情報を送受信部２１に送信し、該メール情報を該メールアドレス宛に送受信部２１に送信させる（ｓ３０６）。
【００２７】
一方、ｓ３０３にて判定部３１が、前記信号に含まれる経度と緯度との情報に該当する位置情報が記憶部４１に記憶されていると判断した場合（ＹＥＳ）には、前述のように時差情報を読み出し（ｓ３０４）、そして該読み出した時差情報と、時刻受付部５１から受信した現時刻データ（常時、時刻受付部５１から判定部３１が受信しているので、時差情報を読み出した直後（ｓ３０４の直後）に受信した現時刻データ）と、を、該電子メールの内容に付記したメール情報を生成し（ｓ３０７）、電子メールを送信すべき送信先２０１のメールアドレスに関係付けて該メール情報を送受信部２１に送信し、該メール情報を該メールアドレス宛に送受信部２１に送信させる（ｓ３０８）。
【００２８】
ｓ３０６及びｓ３０８の後、作業終了か否か判断し（ｓ３０９）、作業終了であれば（ＹＥＳ）作業を終了し（ＥＮＤ）、作業終了でなければ（ＮＯ）再びｓ３０１へ戻る。
【００２９】
以上説明したように、本装置１１は、対象とする依頼者の位置情報（領域Ａ、Ｂ、Ｃ、Ｄ、・・情報）を予め記憶する位置記憶手段たる記憶部４１と、時刻情報の送信を依頼する依頼者（情報端末１０１）の位置に関する情報である位置情報（ここではＧＰＳ１０３から受け付けた情報端末１０１が存する場所の経度と緯度との情報）を受け付ける依頼者情報受付手段たる送受信部２１と、現在の時刻に関する情報である現時刻情報（ＧＰＳ１５から提供される現在の時刻を示す現時刻データ）を受け付ける時刻受付手段たる時刻受付部５１と、該依頼者情報受付手段たる送受信部２１により受け付けられた該位置情報（情報端末１０１が存する場所の経度と緯度との情報）が、該位置記憶手段たる記憶部４１に記憶されているものに該当するか否か判断する対象判断手段たる判定部３１と、該対象判断手段たる判定部３１にて、該受け付けられた位置情報（情報端末１０１が存する場所の経度と緯度との情報）が該位置記憶手段たる記憶部４１に記憶されているもの（領域Ａ、Ｂ、Ｃ、Ｄ、・・情報）に該当すると判断された場合、該時刻受付手段たる時刻受付部５１が予め定められたタイミング（ここでは時差情報を読み出した直後（ｓ３０４の直後））で受け付ける該現時刻情報（現時刻データ）を所定の送信先（ここでは送信先２０１）へ送信する送信手段たる送受信部２１と、を備えてなる時刻情報送信装置である。
【００３０】
前記位置記憶手段たる記憶部４１が、自らが記憶している位置情報（領域Ａ、Ｂ、Ｃ、Ｄ、・・情報）に関係する時間に関する情報である時間情報（ここでは時差情報）を、該自らが記憶している位置情報（領域Ａ、Ｂ、Ｃ、Ｄ、・・情報）に関係付けてさらに記憶し、前記対象判断手段たる判定部３１が、該当すると判断した場合には該該当すると判断された記憶されている位置情報（領域Ａ、Ｂ、Ｃ、Ｄ、・・情報）に関係付けられた該時間情報たる時差情報を前記位置記憶手段たる記憶部４１からさらに読み出し、前記送信手段たる送受信部２１が、前記時刻受付手段たる時刻受付部５１が受け付ける前記現時刻情報（現時刻データ）と該読み出された時間情報たる時差情報とを所定の送信先（ここでは送信先２０１）へ送信する。
なお、ここでは時間情報が、前記受け付けられる位置情報（情報端末１０１が存する場所の経度と緯度との情報）に該当する位置記憶手段たる記憶部４１に記憶された位置情報が示す位置（即ち、情報端末１０１が存する位置）における時刻と、前記時刻受付手段たる時刻受付部５１が受け付ける現時刻情報（現時刻データ）が示す時刻と、の間に存する時差に関する時差情報である。
【００３１】
また、前記対象判断手段たる判定部３１が、さらに、前記時差情報と、前記時刻受付手段たる時刻受付部５１が受け付ける前記現時刻情報（現時刻データ）と、を用いて前記依頼者（情報端末１０１）の位置における時刻を算出し、前記送信手段たる送受信部２１が、前記現時刻情報と前記読み出された時間情報とを所定の送信先（ここでは送信先２０１）へ送信する代わりに、該算出した時刻に関する情報である算出時刻情報を所定の送信先（ここでは送信先２０１）へ送信するようにしてもよい。
【図面の簡単な説明】
【図１】一実施形態の本発明の時刻情報送信装置（本装置）のハードウエア構成を示す概略ブロック図である。
【図２】本装置の大まかな基本構成を示す概略機能ブロック図である。
【図３】本装置の動作を示すフローチャートである。
【符号の説明】
１１          本装置
１１ａ        ＣＰＵ
１１ｂ        ＲＡＭ
１１ｃ        ＲＯＭ
１１ｄ        インターフェイス
１５          ＧＰＳ
１７          インターネット
１９          ハードディスク
２１          送受信部
３１          判定部
４１          記憶部
５１          時刻受付部
１０１          情報端末
１０３          ＧＰＳ
２０１          送信先
【図１】
0003616786.tif 000003
【図２】
0003616786.tif 000004
【図３】
0003616786.tif 000005